(57)【要約】      （修正有）【課題】ブレードのアピール力を低減させてしまうことなく、巻き抵抗を低減することのできる、新規なルアー用ブレード並びにこれを具えたスピンテールルアーの提供。【解決手段】平面視ティアドロップ状乃至木の葉状に形成されたルアー用ブレード５において、このブレード５は、その横断面が曲線状であり、且つ縦断面が直線状となるような曲面が形成されたものであることを特徴として成り、このブレード５がボディ２後部に回転可能な状態で具えられていることを特徴とする。【選択図】図１
2019062819.tif 000002
【特許請求の範囲】
【請求項１】
平面視ティアドロップ状乃至木の葉状に形成されたルアー用ブレードにおいて、
このブレードは、その横断面が曲線状であり、且つ縦断面が直線状となるような曲面が形成されたものであることを特徴とするルアー用ブレード。
【請求項２】
前記ブレードは平板状の出発部材を曲げ加工して形成されるものであり、この出発部材の幅寸法と長さ寸法の比が、１：１〜４であることを特徴とする請求項１記載のルアー用ブレード。
【請求項３】
前記ブレードの横断面は、高さ寸法と幅寸法との比が、１：２〜４であることを特徴とする請求項１または２記載のルアー用ブレード。
【請求項４】
前記請求項１、２または３記載のブレードがボディ後部に回転可能な状態で具えられていることを特徴とするスピンテールルアー。
【発明の詳細な説明】
【技術分野】
【０００１】
本発明は対象魚に対してフラッシング効果と波動によって捕食を促すルアー用ブレード並びにこれを具えたスピンテールルアーに係るものである。
【背景技術】
【０００２】
ルアーフィッシングに用いられるルアーの一つに、スピンテールルアーと呼ばれるものがある。このルアーは図２に示すように、小魚の魚体を模したボディ２′の尾部付近に、水流によって回転するブレード５′を具えて成るものであり、このブレード５′は対象魚に対してフラッシング効果と波動とによってバイトを促す効果を奏するものである。
すなわちブレード５′の回転により、ブレード５′表面に当たる光の反射方向が随時変わることによって対象魚の視覚を刺激するものである（フラッシング効果）。一方、ブレード５′の回転数や振幅に応じて水中に生じる波動により、対象魚の触覚を刺激するものであり、これら視覚刺激と触覚刺激との相乗効果によって対象魚のバイトを誘発するものである（例えば特許文献１参照）。
なおこのようなスピンテールルアーは、主にヒラメ等の根魚や、シーバス、真鯛、クロダイ等が対象魚とされている。
【０００３】
そしてブレード５′の形状は図５（ｂ）に示すような楕円体曲面（スプーンのつぼ様形状）とされることが多く、更にその断面は縦断面、横断面ともに曲線状となるものである。
【０００４】
一般的にルアーの形態は、多くのアングラーの創意工夫により様々な試みが成される中で進化してゆき、やがて釣果に実績があった形態がいわば定番化してゆくものである。
そして現状、多くのスピンテールルアーのブレードの形態が上述のような楕円体曲面であるのも、曲面の状況が水を掴みやすく、回転性等が優れているといったことから多くのアングラーが採用し、定番化したものと思われる。
【０００５】
なお、幅の広いブレード５′は波動が強いためアピール力が高く、更に低速でのリトリーブ時にも良く回転する反面、引き抵抗が大きいという特性がある。一方、幅の狭いブレード５′′は巻き抵抗が小さい反面、波動が弱いためアピール力が低く、更に低速でのリトリーブ時には回転しないといった特性がある。
このため、潮流が速い時などにはアピール力を犠牲にして操作性を優先させるため、図５（ｃ）に示すような幅の狭いブレード５′′が選択される傾向にあり、例えば海岸（砂浜）からヒラメを狙う場合等にも、引き波によって巻き抵抗が非常に大きくなるため、アピール力を犠牲にしてでも巻き抵抗の少ない幅狭のブレード５′′が選択される傾向にあった。
【先行技術文献】
【特許文献】
【０００６】
【特許文献１】特開２０１６−２１９４０公報
【発明の概要】
【発明が解決しようとする課題】
【０００７】
本発明はこのような知得に基づいてなされたものであって、ブレードのアピール力を低減させてしまうことなく、巻き抵抗を低減することのできる、新規なルアー用ブレード並びにこれを具えたスピンテールルアーの開発を技術課題としたものである。
【課題を解決するための手段】
【０００８】
すなわち請求項１記載のルアー用ブレードは、平面視ティアドロップ状乃至木の葉状に形成されたルアー用ブレードにおいて、このブレードは、その横断面が曲線状であり、且つ縦断面が直線状となるような曲面が形成されたものであることを特徴として成るものである。
【０００９】
また請求項２記載のルアー用ブレードは、前記要件に加え、前記ブレードは平板状の出発部材を曲げ加工して形成されるものであり、この出発部材の幅寸法と長さ寸法の比が、１：１〜４であることを特徴として成るものである。
【００１０】
更にまた請求項３記載のルアー用ブレードは、前記要件に加え、前記ブレードの横断面は、高さ寸法と幅寸法との比が、１：２〜４であることを特徴として成るものである。
【００１１】
更にまた請求項４記載のルアー用ブレードを具えたスピンテールルアーは、前記請求項１、２または３記載のブレードがボディ後部に回転可能な状態で具えられていることを特徴として成るものである。
そしてこれら各請求項記載の発明の構成を手段として前記課題の解決が図られる。
【発明の効果】
【００１２】
まず請求項１記載の発明によれば、ルアー用ブレードの構成を、幅広のものとした場合であっても、波動が強くアピール力が高く、低速でのリトリーブ時にも良く回転するといったメリットを維持しつつ、従来の幅広ブレードのデメリットであった引き抵抗が大きいという点を改善して巻き抵抗が小さいものとすることができる。
【００１３】
また請求項２記載の発明によれば、出発部材を曲げ加工して得られるブレードの形状を、回転によるアピール力を低減させてしまうことなく、巻き抵抗を低減することのできるものとすることができる。
【００１４】
また請求項３記載の発明によれば、ブレードの回転と巻き抵抗を好適なものとすることができる。
【００１５】
また請求項４記載の発明によれば、巻き抵抗が小さく、回転による波動が強いためアピール力が高く、更に低速でのリトリーブ時にも良く回転するブレードの特性を具えたルアーを構成することができ、例えば引き波時に巻き抵抗が増大する、海岸からルアーをキャストするスタイルのルアーフィッシングの釣果を向上させることができる。
【図面の簡単な説明】
【００１６】
【図１】本発明のルアー用ブレードを具えたスピンテールルアーのリトリーブ時の様子を示す側面図である。
【図２】同上、側面図である。
【図３】出発部材を示す平面図（ａ）、本発明のブレードを示す正面図（ｂ）、平面図（ｃ）、側面図（ｄ）側面図である。
【図４】ブレードの種々の形態を示す正面図である。
【図５】本発明のブレードを示す斜視図（ａ）、既存のブレードを示す斜視図（ｂ）である。
【発明を実施するための形態】
【００１７】
以下本発明を実施するための最良の形態について、図示の実施例に基づいて説明するが、この実施例に対して、本発明の技術的思想の範囲内において適宜変更を加えることも可能である。
【実施例】
【００１８】
図中符号１で示すものが本発明の「ルアー用ブレードを具えたスピンテールルアー」（以下、ルアー１と称する。）であって、このものは小魚を模して形成されたボディ２の頭部正面に円環状のラインアイ３が具えられ、更にボディ２における胸鰭及び尾鰭付近に円環状のフックアイ４が具えられるとともに、各々のフックアイ４に対してスプリットリング６を介在させてフック８が接続されて成るものである。更に尾鰭付近のフックアイ４に対して、スイベル７を介在させて本発明のブレード５が回転可能な状態で接続される。
そしてロッドに装着されたリールに巻かれたラインＬと、ラインアイ３とが接続された状態でルアーフィッシングに供されるものである。
【００１９】
前記ボディ２は、一例として樹脂成形された左右対称の断片を張り合わせて形成されるものであり、その表面に対象魚Ｆのベイトフィッシュ（捕食対象魚）を模したカラーリング等が施されるものである。例えば対象魚Ｆがヒラメである場合には、いわし等がベイトフィッシュとなるため、これらの魚を模したカラーリングが施される。もちろんこの他にも、レインボーカラーとしたり、ラメ装飾を施すことによっても、対象魚Ｆの視覚を刺激してバイトを促すことができる。
またボディ２に設けられる前記ラインアイ３の位置、フックアイ４の位置及び数については、適宜変更、増減することが可能である。
【００２０】
また前記ブレード５は、一例として図３（ａ）の平面図に示すような、接続孔５２が形成された平板状の出発部材５１を曲げ加工して形成されるものであり、図３（ｂ）の正面図に示すように一例として幅方向の中心線の両側を曲げ加工することにより、図３（ｃ）の平面図及び図３（ｄ）の側面図に示すように成型されるものである。
そしてこのように成型されたブレード５は、図５（ａ）に示すようにその横断面が曲線状となるものであり、一方、縦断面は直線状となるものである。
ここで前記縦断面は、出発部材５１の長軸に交差する方向での曲げ加工は行なわれないため、いずれの箇所の縦断面であっても直線状となるものである。
【００２１】
またブレード５は、平面視ティアドロップ状乃至木の葉状に形成されるものであり、出発部材５１の幅寸法Ｗ５０と長さ寸法Ｌ５０との比は、１：１〜４好ましくは１：１〜１．５とされる（図３（ａ）参照）。
ここで前記ティアドロップ状とは、楕円の長軸側の一方の頂部がテーパー状とされた形状であり、一方、前記木の葉状とは、楕円の長軸側の両頂部がテーパー状とされた形状である。
【００２２】
更に出発部材５１が曲げ加工されて形成されたブレード５の横断面は、高さ寸法Ｈ５と幅寸法Ｗ５との比が、部位によっても異なるが、１：２〜４好ましくは１：２．５〜３とされるように設定される（図４（ａ）参照）。
なおブレード５の横断面は図４（ｂ）〜（ｄ）に示すように、前記高さ寸法Ｈ５と幅寸法Ｗ５との比が上述のとおりであれば種々の形態を採るころができる。
また幅寸法Ｗ５を、例えば接続孔５２側を狭く、逆側を広くするように、ブレード５の長手方向で異ならせるようにしもよく、この場合、巻き抵抗を大きく設定することができる。
【００２３】
また図２に示すように、前記ブレード５の長さ寸法Ｌ５と、ボディ２の長さ寸法Ｌ２との比が、一例として１：２〜４好ましくは１：２〜３とされる。
なおブレード５の色は、主として金色または銀色とされるものであり、金色は潮が濁り気味のときに反応が良く、銀色は潮がクリアなときに反応が良いとされている。
【００２４】
本発明のブレード５並びにこれを具えたルアー１は一例として上述したように構成されるものであり、実際にルアーフィッシングに供されるにあたり、以下に示すような効果を奏するものである。
例えばヒラメを対象魚Ｆとして海岸からルアー１をキャストする、いわゆる「陸っぱり」と呼ばれるスタイルのルアーフィッシングでは、引き波によって巻き抵抗が非常に大きくなる。このため〔背景技術〕で述べたように、従来はアピール力を犠牲にしてでも巻き抵抗の少ない幅狭のブレード５′′（図５（ｃ））が選択されることが多かった。
【００２５】
しかしながら本発明のブレード５は、その横断面が曲線状であり、且つ縦断面が直線状となるような曲面が形成されたものであり、幅広とした場合であっても、波動が強くアピール力が高く、低速でのリトリーブ時にも良く回転するといったメリットを維持しつつ、従来の幅広のブレード５′のデメリットであった引き抵抗が大きいという点を改善して巻き抵抗が小さいものとすることができるものである。
【００２６】
ここで実際に本発明のブレード５を具えたルアー１と、既存のブレード５′を具えたルアー１′とを使用した「陸っぱり」経験のある十数人のアングラーの所感を記す。
なお図５（ｂ）に示すブレード５′は、図５（ａ）に示すブレード５の出発部材５１と同形のものをスプーンのつぼ様に曲げ加工したものであり、同一形状のボディ２に対してブレード５、５′を組付けることによりルアー１、ルアー１′を構成するものとした。
結果は、本発明のルアー１は、「巻き抵抗」、「引き波時の抵抗」ともにルアー１′よりも非常に軽いというものであった。
【００２７】
このように本発明のブレード５を具えたルアー１は、ブレード５のアピール力を低減させてしまうことなく、巻き抵抗を低減することのできるものであり、リトリーブ時の操作性が向上し、キャスト、リトリーブ、ロッドアクションといった一連の動作によりアングラーに与える負荷を低減することができる。このため特に海岸からルアー１をキャストするスタイルのルアーフィッシングの釣果を向上させることができる。
【符号の説明】
【００２８】
１    ルアー
２    ボディ
３    ラインアイ
４    フックアイ
５    ブレード
５１  出発部材
５２  接続孔
６    スプリットリング
７    スイベル
８    フック
Ｆ    対象魚
Ｌ    ライン
【図１】
2019062819.tif 000003
【図２】
2019062819.tif 000004
【図３】
2019062819.tif 000005
【図４】
2019062819.tif 000006
【図５】
2019062819.tif 000007